(57)【要約】【課題】近距離無線通信機能を有しながら、充電対象の有無を容易に把握できる非接触充電器を提供する。【解決手段】非接触充電器は、充電対象を非接触で充電する。非接触充電器は、ＮＦＣ通信を行うＮＦＣ機能部を備え、ＮＦＣ機能部が行うポーリングによって充電対象の有無を検知し、ＮＦＣ機能部によるポーリング中は非接触充電を行わない。【選択図】図６
2014093818.tif 000002
【特許請求の範囲】
【請求項１】
充電対象を非接触で充電する非接触充電器において、
近距離無線通信を行う近距離無線通信部を備え、
前記近距離無線通信部が行うポーリングによって前記充電対象の有無を検知し、
前記近距離無線通信部による前記ポーリング中は非接触充電を行わない
ことを特徴とする非接触充電器。
【請求項２】
前記充電対象の有無は、前記近距離無線通信部のインピーダンスの変化をポーリングによって検知する
ことを特徴とする請求項１に記載の非接触充電器。
【請求項３】
前記ポーリングは、無変調波を送信することで行う
ことを特徴とする請求項１又は２に記載の非接触充電器。
【請求項４】
請求項１〜３のいずれか一項に記載の非接触充電器において、
前記近距離無線通信を行った後に、前記非接触充電の無線通信によって前記充電対象の認証を行う
ことを特徴とする非接触充電器。
【請求項５】
請求項１〜４のいずれか一項に記載の非接触充電器において、
前記非接触充電中は、前記近距離無線通信を停止する
ことを特徴とする非接触充電器。
【請求項６】
請求項１〜５のいずれか一項に記載の非接触充電器において、
前記非接触充電の無線通信が途絶した場合には、前記近距離無線通信部の前記ポーリングを行う
ことを特徴とする非接触充電器。
【発明の詳細な説明】
【技術分野】
【０００１】
本発明は、携帯電子機器を非接触により充電する非接触充電器に関する。
【背景技術】
【０００２】
従来、携帯電話等の携帯電子機器は、電源として二次電池を備えている。そして、二次電池を備えた携帯電子機器は、非接触充電器に置くことで非接触により充電が行われる。非接触充電としては、電磁誘導を用いた電磁誘導方式、磁界共鳴を用いた磁界共鳴方式、電流を電磁波として送信する電波方式等がある。
【０００３】
非接触充電が可能な携帯電子機器は、近距離無線通信によって非接触で情報をやりとりする近距離無線通信機能を有している。そこで、非接触充電器に近距離無線通信を行う通信器を備えることで、二次電池の充電を行うとともに情報通信を行うことが考えられている（例えば、特許文献１参照）。
【０００４】
特許文献１に記載の非接触充電器では、非接触充電用のコイルが備えられるとともに、近距離無線通信用のアンテナとが備えられている。
【先行技術文献】
【特許文献】
【０００５】
【特許文献１】特開２００９−２４７１２４号公報
【発明の概要】
【発明が解決しようとする課題】
【０００６】
ところで、上記特許文献１に記載の非接触充電器は、非接触充電機能と近距離無線通信機能とのそれぞれが携帯電子機器等の充電対象と通信できるか検出して、この通信可否に基づいて充電対象の有無を判断している。すなわち、非接触充電器では、非接触充電機能と近距離無線機能とが充電対象の有無を別々に把握していた。
【０００７】
このため、非接触充電機能と近距離無線通信機能との両方が同時に通信すると、電波干渉のおそれがあるので、通信タイミングの制御が必要となり煩雑であった。そこで、近距離無線通信機能を有しながら、充電対象の有無を容易に把握できる非接触充電器が求められていた。
【０００８】
本発明は、こうした実情に鑑みてなされたものであり、その目的は、近距離無線通信機能を有しながら、充電対象の有無を容易に把握できる非接触充電器を提供することにある。
【課題を解決するための手段】
【０００９】
以下、上記目的を達成するための手段及びその作用効果について説明する。
上記課題を解決する非接触充電器は、充電対象を非接触で充電する非接触充電器であって、近距離無線通信を行う近距離無線通信部を備え、前記近距離無線通信部が行うポーリングによって前記充電対象の有無を検知し、前記近距離無線通信部による前記ポーリング中は非接触充電を行わないことをその要旨としている。
【００１０】
同構成によれば、近距離無線通信が可能であって、近距離無線通信部のポーリング中は非接触充電を行わず、近距離無線通信部が行うポーリングによって充電対象の有無を検知する。このため、近距離無線通信機能だけによって充電対象の有無を検知でき、近距離無線通信機能と非接触充電機能との両方が同時に通信しないので、電波干渉のおそれがない。また、ＮＦＣ通信は一瞬で終わるが充電は時間が掛かるので、先にＮＦＣ通信を行ってその後非接触充電を行うことで、制御が容易である。よって、近距離無線通信機能を有しながら、充電対象の有無を容易に把握できる。
【００１１】
上記非接触充電器について、前記充電対象の有無は、前記近距離無線通信部のインピーダンスの変化をポーリングによって検知することが好ましい。
同構成によれば、非接触充電器に充電対象が充電される際に、ポーリング中のインピーダンスが変化するので、このインピーダンスの変化によって充電対象の有無を検知する。このため、近距離無線通信機能を持たない充電対象が非接触充電器に充電される際に、インピーダンスが変化することで充電対象の有無を検知することができる。
【００１２】
上記非接触充電器について、前記ポーリングは、無変調波を送信することで行うことが好ましい。
同構成によれば、無変調波を送信することでポーリングを行うので、振幅が安定した無変調波であれば、非接触充電器における充電対象の有無を容易に検知できる。また、インピーダンスの変化を確実に検出するために複数点を検出した際に、検出値同士にずれが少なく確実に充電対象の有無を検知できる。
【００１３】
上記非接触充電器について、前記近距離無線通信を行った後に、前記非接触充電の無線通信によって前記充電対象の認証を行うことが好ましい。
同構成によれば、近距離無線通信を行った後に、非接触充電の無線通信によって充電対象が充電可能であるか否かの認証を行う。このため、近距離無線通信機能を持たない充電対象が非接触充電器に充電される際に、近距離無線通信の認証が成立しなかったとしても非接触充電用の認証を行うことで充電対象に対して充電動作を開始することができる。
【００１４】
上記非接触充電器について、前記非接触充電中は、前記近距離無線通信を停止することが好ましい。
同構成によれば、非接触充電中は近距離無線通信を停止するので、非接触充電と近距離無線通信との電波干渉のおそれがない。
【００１５】
上記非接触充電器について、前記非接触充電の無線通信が途絶した場合には、前記近距離無線通信部の前記ポーリングを行うことが好ましい。
同構成によれば、非接触充電の無線通信が途絶した場合には、近距離無線通信部のポーリングを開始して充電対象が充電されているか否かを確認するので、非接触充電の無線通信と近距離無線通信とのいずれかによって充電対象の有無を検知することができる。
【発明の効果】
【００１６】
本発明によれば、近距離無線通信機能を有しながら、充電対象の有無を容易に把握できる。
【図面の簡単な説明】
【００１７】
【図１】非接触充電器の概略構成を示すブロック図。
【図２】非接触充電器のＮＦＣ機能部の概略構成を示す図。
【図３】非接触充電器の接合部の電圧及び検知部の電圧を示す図。
【図４】非接触充電器の検知部の電圧とスマートフォンとの距離との関係を示す図。
【図５】非接触充電器の制御を示すフローチャート。
【図６】非接触充電器の動作を示すシーケンスチャート。
【発明を実施するための形態】
【００１８】
以下、図１〜図６を参照して、非接触充電器の一実施形態について説明する。
図１に示されるように、非接触充電器１０は、車両１に搭載され、携帯電子機器としてのスマートフォン２のバッテリを充電するととともに、スマートフォン２とＮＦＣ通信を行う。非接触充電器１０は、スマートフォン２が自身に置かれることで充電を開始する。スマートフォン２は、非接触充電器１０とＮＦＣ通信を行うことによって車両情報を取得する。また、スマートフォン２は、ＮＦＣ通信によって車両１に搭載されたＢｌｕｅｔｏｏｔｈ（登録商標）やＷｉ−Ｆｉ等のペアリングを行う。なお、ＮＦＣ通信が近距離無線通信として機能する。
【００１９】
非接触充電器１０には、非接触充電器１０を統括制御する制御部１１が設けられている。制御部１１には、バッテリから電源を供給する電源回路１２が接続されている。また、制御部１１には、アクセサリー電源（ＡＣＣ）が接続され、アクセサリー電源がオンになったか否かを判断可能となっている。また、制御部１１には、ＣＡＮ通信用の接続線が接続されている。
【００２０】
また、制御部１１には、充電電波を出力する充電機能部１３が接続されている。充電機能部１３の通信規格には、ＷＰＣ（Ｗｉｒｅｌｅｓｓ  Ｐｏｗｅｒ  Ｃｏｎｓｏｒｔｉｕｍ）の規格が使用されている。充電機能部１３は、充電電波を送信するとともに、充電対象を認証する充電通信を行う。充電機能部１３は、充電通信によって充電対象からバッテリの充電状況（電池残量）も取得する。ここで、充電対象とは、非接触充電器１０に置かれた携帯電子機器であってスマートフォン２等のことである。
【００２１】
充電通信は、充電機能部１３から充電対象であるスマートフォン２等に送信信号が出力される。送信信号は、いわゆる無変調の搬送波（キャリア）である。充電対象であるスマートフォン２等は、送信信号を電源に充電機能部２ａが起動すると、送信信号に対する応答を返信する。このとき、充電対象であるスマートフォン２等は、充電機能部２ａ内の負荷をオン／オフすることによって充電機能部１３から見たインピーダンスを変化させ、送信信号に電圧変化を生じさせる。すなわち、変化部分が負荷変調となり、これが充電機能部１３において負荷変調信号として現れる。そして、充電機能部１３は、この負荷変調信号を読み取ることにより、充電対象であるスマートフォン２等からの応答を受信する。充電機能部１３は、充電状態を制御部１１に随時出力する。また、充電通信は、充電中も行われる。
【００２２】
また、制御部１１には、ＬＥＤ１５が接続されている。制御部１１は、非接触充電が開始されるとＬＥＤ１５を点灯させ、非接触充電が終了するとＬＥＤ１５を消灯させる。これにより、充電中か否かを使用者に知らせることができる。
【００２３】
また、制御部１１には、ＮＦＣ通信を行うＮＦＣ機能部１４が接続されている。ＮＦＣ機能部１４は、通信対象に送信信号を出力する。送信信号は、いわゆる無変調の搬送波（キャリア）である。ＮＦＣ機能部１４は、送信信号を間欠的に送信するポーリングを行い、通信対象が存在する際にＮＦＣ通信を行う。ＮＦＣ機能部１４には、電源回路１２が接続され、電源が供給されている。制御部１１は、ＮＦＣ通信によって通信対象に車両情報を提供する。なお、ＮＦＣ機能部１４が近距離無線通信部として機能する。ここで、通信対象とは、非接触充電器１０に置かれた携帯電子機器であってスマートフォン２等のことである。
【００２４】
通信対象であるスマートフォン２等は、送信信号を電源にＮＦＣ機能部２ｂが起動すると、送信信号に対する応答を返信する。このとき、充電対象であるスマートフォン２等は、ＮＦＣ機能部２ｂ内の負荷をオン／オフすることによってＮＦＣ機能部１４から見たインピーダンスを変化させ、送信信号に電圧変化を生じさせる。すなわち、変化部分が負荷変調となり、これがＮＦＣ機能部１４において負荷変調信号として現れる。そして、ＮＦＣ機能部１４は、この負荷変調信号を読み取ることにより、通信対象であるスマートフォン２等からの応答を受信する。
【００２５】
図２に示されるように、ＮＦＣ機能部１４には、ＮＦＣＩＣ２１が設けられている。ＮＦＣＩＣ２１には、ＬｏｗＰａｓｓＦｉｌｔｅｒ（ＬＰＦ）２２と、マッチング用コンデンサ２３と、ＮＦＣ通信用コイル２４とが接続されている。ＬＰＦ２２とマッチング用コンデンサ２３との接合部Ｐ３には、コンデンサを介してＮＦＣＩＣ２１が接続されている。接合部Ｐ３からＮＦＣＩＣ２１に接続された端部を受信部Ｐ１とする。ＮＦＣＩＣ２１は、受信部Ｐ１において搬送波に負荷変調信号が重畳されたことによって変化した微小電圧を取り出して負荷変調信号を読み取る。
【００２６】
また、ＬＰＦ２２とマッチング用コンデンサ２３との接合部Ｐ３には、整流回路１１ａを介して制御部１１が接続されている。整流回路１１ａは、接合部Ｐ３にＡＣ電圧が掛かっているので、整流してＤＣ電圧に変換する。制御部１１は、整流されたＤＣ電圧が閾値電圧よりも大きいか否かを判定する。接合部Ｐ３から制御部１１に接続された端部を検知部Ｐ２とする。そして、制御部１１には、検知部Ｐ２の電圧を検出する電圧センサ１１ｂが設けられている。電圧センサ１１ｂは、ＮＦＣ通信用コイル２４側のインピーダンスの変化を検出するために用いられる。
【００２７】
金属物が非接触充電器１０に近接すると、ＮＦＣ通信用コイル２４のインダクタンスが変化する。また、ＮＦＣ機能部２ｂを備えた通信対象であるスマートフォン２等が非接触充電器１０に近接すると、ＮＦＣ通信用コイル２４とＮＦＣ機能部２ｂのコイルとが電磁結合してＮＦＣ機能部２ｂのインピーダンスと結合する。よって、ＮＦＣ機能部２ｂを備えた通信対象であるスマートフォン２等が非接触充電器１０に近接すると、ＮＦＣ通信用コイル２４側のインピーダンスが変化する。
【００２８】
図３に示されるように、ポーリング時における接合部Ｐ３の電圧は無変調波ＣＷ１，ＣＷ２が間欠的に検出され、ポーリング時における検知部Ｐ２の電圧は閾値電圧より大きい値が間欠的に検出される。よって、制御部１１は、スマートフォン２が非接触充電器１０に置かれていないと判断する。そして、スマートフォン２が非接触充電器１０に置かれると、接合部Ｐ３の電圧は無変調波ＣＷ３に示されるように振幅が小さくなり、検知部Ｐ２の電圧は閾値電圧よりも小さくなる。よって、制御部１１は、スマートフォン２が非接触充電器１０に置かれたと判断して、ＮＦＣ通信を開始する。制御部１１は、通信対象であるスマートフォン２から送信された負荷変調信号が重畳された搬送波を受信すると、負荷変調信号を検出する。
【００２９】
なお、図４に示されるように、検知部Ｐ２における電圧は、スマートフォン２と非接触充電器１０との距離が近くなるほど小さくなるように設計している。そこで、スマートフォン２が非接触充電器１０に置かれていると判断可能な電圧を閾値電圧として設定している。
【００３０】
制御部１１は、車両１の電源であるＡＣＣがオンになると、ＮＦＣ機能部１４にポーリングを開始させる。制御部１１は、ＮＦＣ機能部１４によってＮＦＣ通信が行われている際には、充電機能部１３から信号を送信させない。また、制御部１１は、ＮＦＣ通信が終了すると、充電機能部１３において充電対象の認証を行い、認証が成功すると充電を開始する。ここで、認証は、ＷＰＣ規格への適合を確認する。制御部１１は、充電が終了すると、充電通信を含む処理を終了する。
【００３１】
制御部１１は、非接触充電における充電通信が途絶すると、非接触充電器１０から充電対象であるスマートフォン２等が取り上げられたとして、ＮＦＣ機能部１４にポーリングを改めて開始させる。
【００３２】
次に、図５及び図６を参照して、前述のように構成された非接触充電器１０の動作について説明する。
図５に示されるように、制御部１１は、車両１の電源であるＡＣＣがオンになると、ＮＦＣによるポーリングを行う（ステップＳ１）。すなわち、制御部１１は、ＮＦＣ機能部１４にポーリングを開始させる。ＮＦＣ機能部１４は、無変調の搬送波を間欠的に送信する。
【００３３】
制御部１１は、ＮＦＣ機能部１４によるポーリングによって充電対象が非接触充電器１０の上に置かれたか否かを判断する（ステップＳ２）。すなわち、制御部１１は、ＮＦＣ機能部１４においてＮＦＣ通信用コイル２４側のインピーダンスが変化しない、すなわち電圧が変化しない場合には、充電対象がいないと判断して（ステップＳ２：ＮＯ）、ＮＦＣ機能部１４によるポーリングを継続する（ステップＳ１）。
【００３４】
一方、制御部１１は、ＮＦＣ機能部１４においてＮＦＣ通信用コイル２４側のインピーダンスが変化した、すなわち電圧が変化した場合には、非接触充電器１０の上に充電対象が存在すると判断して（ステップＳ２：ＹＥＳ）、ＮＦＣ通信が可能であるか否かを判断する（ステップＳ３）。すなわち、制御部１１は、ＮＦＣ機能部１４によって通信対象のＩＤコードをリクエストするリクエスト信号を変調信号によって送信する。通信対象であるスマートフォン２等は、非接触充電器１０から送信されたリクエスト信号を受信すると、リクエスト信号に対するＩＤコードを含む応答信号を負荷変調することで送信する。制御部１１は、負荷変調信号が重畳された搬送波を受信した際にはＮＦＣ通信が可能である。
【００３５】
制御部１１は、負荷変調信号が重畳された搬送波を受信した際にはＮＦＣ通信が可能であると判断して、ＮＦＣ通信を行う（ステップＳ４）。すなわち、制御部１１は、ＮＦＣ機能部１４によってＮＦＣ通信を行う。このとき、制御部１１は、応答信号に含まれるＩＤコードが登録されたＩＤコードである場合には、ＮＦＣ通信を介して車両情報を書き込む。続いて、ＮＦＣ機能部１４は、他のアプリを実行する。他のアプリとしては、例えば、ＮＦＣ通信のペアリング後のＢｌｕｅｔｏｏｔｈのハンドオーバーやＷｉ−Ｆｉのハンドオーバーである。一方、ＮＦＣ機能部１４は、応答信号に含まれるＩＤコードが登録されたＩＤコードでない場合には、車両情報を書き込まず、ＮＦＣ通信のペアリング等の他のアプリを実行する。制御部１１は、ＮＦＣ通信が終了すると、ステップＳ５に移行する。
【００３６】
ここで、図６に示されるように、ポーリング中に例えばスマートフォン２が非接触充電器１０の上に置かれると、非接触充電器１０から送信された変調信号を受信したスマートフォン２は負荷変調信号を送信する。そして、非接触充電器１０は、負荷変調信号が重畳された搬送波を受信することでスマートフォン２との間でＮＦＣ通信を行う。非接触充電器１０は、ポーリングによって充電対象が存在すると判断してから一定時間（例えば、０．５秒）以内にＬＥＤを点灯させる。
【００３７】
一方、図５に示されるように、制御部１１は、負荷変調信号が重畳された搬送波を受信しない際にはＮＦＣ通信が不可能であると判断して、ＮＦＣ通信を行わずに充電通信を行う（ステップＳ５）。すなわち、制御部１１は、充電機能部１３によって充電を開始するにあたって充電認証のために充電通信を行う。
【００３８】
続いて、制御部１１は、充電通信において充電認証が成功したか否かを判断する（ステップＳ６）。すなわち、充電機能部１３は、充電対象から受信した負荷変調信号に含まれる認証コードによって認証を行い、認証が失敗した場合（ステップＳ６：ＮＯ）には、ＮＦＣ機能部１４によるポーリングを再開する（ステップＳ１）。すなわち、制御部１１は、充電対象がＷＰＣ規格に適合せず、非接触充電器１０によって充電ができないと判断して、非接触充電を行わない。
【００３９】
一方、充電機能部１３は、認証が成功した場合（ステップＳ６：ＹＥＳ）には、非接触充電を開始する（ステップＳ７）。すなわち、充電機能部１３は、充電対象がＷＰＣ規格に適合するので非接触充電器１０によって充電できると判断して、非接触充電を行う。
【００４０】
続いて、制御部１１は、充電が終了したか否かを判断する（ステップＳ８）。すなわち、制御部１１は、充電対象であるスマートフォン２から充電が完了した旨を充電通信によって取得した場合には、充電が終了したと判断して（ステップＳ８：ＹＥＳ）、充電通信を含む処理を終了する。
【００４１】
一方、制御部１１は、充電対象であるスマートフォン２から充電が完了した旨を充電通信によって取得しない場合には、充電が終了していないと判断して（ステップＳ８：ＮＯ）、充電通信が途絶したか否かを判断する（ステップＳ９）。すなわち、制御部１１は、非接触充電中の充電対象であるスマートフォン２との充電通信が継続していることを充電機能部１３から取得している場合（ステップＳ９：ＮＯ）には、非接触充電を継続する（ステップＳ７）。
【００４２】
一方、制御部１１は、非接触充電中の充電対象であるスマートフォン２との充電通信が途絶したことを充電機能部１３から取得した場合（ステップＳ９：ＹＥＳ）には、ＮＦＣ機能部１４によるポーリングを再開する（ステップＳ１）。
【００４３】
ここで、図６に示されるように、非接触充電器１０において充電していたスマートフォン２が非接触充電器１０の上から取り上げられると、非接触充電器１０は充電を停止するとともに、ＬＥＤ１５を消灯し、ＮＦＣ機能部１４によるポーリングを再開する。
【００４４】
さて、本実施例の非接触充電器１０では、ＮＦＣ通信によって非接触充電器１０の上に充電対象であるスマートフォン２等が置かれたことを検知するので、ＮＦＣ通信と充電通信との両方を同時に行うことなく充電対象を容易に把握できる。
【００４５】
以上、説明した実施形態によれば、以下の効果を奏することができる。
（１）近距離無線通信が可能であって、ＮＦＣ機能部１４のポーリング中は非接触充電を行わず、ＮＦＣ機能部１４が行うポーリングによって充電対象の有無を検知する。このため、近距離無線通信機能だけによって充電対象の有無を検知でき、近距離無線通信機能と非接触充電機能との両方が同時に通信しないので、電波干渉のおそれがない。また、ＮＦＣ通信は一瞬で終わるが充電は時間が掛かるので、先にＮＦＣ通信を行ってその後非接触充電を行うことで、制御が容易である。よって、近距離無線通信機能を有しながら、充電対象の有無を容易に把握できる。
【００４６】
（２）非接触充電器１０に充電対象が充電される際に、ポーリング中において近距離無線通信部のインピーダンスが変化するので、この近距離無線通信部のインピーダンスの変化によって充電対象の有無を検知する。このため、近距離無線通信機能を持たない充電対象が非接触充電器１０に充電される際に、近距離無線通信部のインピーダンスが変化することで充電対象の有無を検知することができる。
【００４７】
（３）無変調波を送信することでポーリングを行うので、振幅が安定した無変調波であれば、非接触充電器における充電対象の有無を容易に検知できる。また、インピーダンスの変化を確実に検出するために複数点を検出した際に、検出値同士にずれが少なく確実に充電対象の有無を検知できる。
【００４８】
（４）近距離無線通信を行った後に、非接触充電の無線通信によって充電対象が充電可能であるか否かの認証を行う。このため、近距離無線通信機能を持たない充電対象が非接触充電器１０に充電される際に、近距離無線通信の認証が成立しなかったとしても非接触充電用の認証を行うことで充電対象に対して充電動作を開始することができる。
【００４９】
（５）非接触充電中は近距離無線通信を停止するので、非接触充電と近距離無線通信との電波干渉のおそれがない。
（６）非接触充電の無線通信が途絶した場合には、ＮＦＣ機能部１４のポーリングを開始するので、近距離無線通信のポーリングによって充電対象の有無を検知することができる。
【００５０】
なお、上記実施形態は、これを適宜変更した以下の形態にて実施することができる。
・上記実施形態では、非接触充電中はＮＦＣ通信を停止したが、必要に応じて非接触充電中にＮＦＣ通信を行ってもよい。
【００５１】
・上記実施形態では、ＮＦＣ通信を行った後に非接触充電の認証を行ったが、ＮＦＣ通信におけるポーリングによって充電対象を検知した後に、非接触充電の認証を行い、その後ＮＦＣ通信を行ってもよい。
【００５２】
・上記実施形態では、ＮＦＣ通信によるポーリングおけるインピーダンスの変化を電圧センサ１１ｂにおける電圧変化によって検出したが、電流センサにおける電流変化によって検出してもよい。
【００５３】
・上記実施形態では、充電対象としてスマートフォン２を例示したが、非接触充電が可能な携帯電子機器や、ＮＦＣ通信が可能な携帯電子機器であれば充電対象あるいは通信対象になりうる。
【００５４】
・上記実施形態では、充電に使用する通信は、ＷＰＣ規格を用いた充電としたが、他の規格を用いた充電でもよい。
・上記構成において、非接触充電は電磁誘導方式に限らず、磁界共鳴方式や電波方式を採用してもよい。
【符号の説明】
【００５５】
１…車両、２…スマートフォン、１０…非接触充電器、１１…制御部、１１ａ…整流回路、１１ｂ…電圧センサ、１２…電源回路、１３…充電機能部、１４…ＮＦＣ機能部、１５…ＬＥＤ、２１…ＮＦＣＩＣ、２２…ＬＰＦ、２３…マッチング用コンデンサ、２４…ＮＦＣ通信用コイル、Ｐ１…受信部、Ｐ２…検知部、Ｐ３…接合部。
【図１】
2014093818.tif 000003
【図２】
2014093818.tif 000004
【図３】
2014093818.tif 000005
【図４】
2014093818.tif 000006
【図５】
2014093818.tif 000007
【図６】
2014093818.tif 000008